(57)【特許請求の範囲】
【請求項１】
ロング・ターム・イボリューション（ＬＴＥ）ネットワークにおける無線通信のための方法であって、
前記ＬＴＥネットワークの第１のイボルブド・ノードＢ（ｅノードＢ）から前記ＬＴＥネットワークの第２のｅノードＢへ、前記第２のｅノードＢが複数の不連続なサブフレームのバンドルを放棄することを求める要求を送信することと、ここで、前記複数の不連続なサブフレームのバンドルは前記複数の不連続なサブフレームのバンドルのおのおののサブフレーム内に１または複数のリソース・ブロックを備える、
前記第１のｅノードＢに関連付けられ、前記第２のｅノードＢからの干渉を受けているユーザ機器（ＵＥ）を、前記第２のｅノードＢによって放棄された前記複数の不連続なサブフレームのバンドルの位置をＵＥへシグナルすることによって、前記第２のｅノードＢによって放棄された前記複数の不連続なサブフレームのバンドルにおけるアップリンク送信のために設定することと、を備える方法。
【請求項２】
前記複数の不連続なサブフレームのバンドルのおのおののサブフレーム内の、前記リソース・ブロックの一部を、前記第２のｅノードＢへ示すこと、をさらに備える請求項１に記載の方法。
【請求項３】
前記設定することは、前記複数の不連続なサブフレームのバンドルのおのおののバンドルのサイズおよびサブフレーム・オフセットを示すインジケーションを、前記ＵＥへ送信することを備える、請求項１に記載の方法。
【請求項４】
前記設定することは、前記ＵＥからの再送信が、サブフレームｎ２＝ｎ１＋８＊Ｎにおいて始まることを提供し、ここで、ｎ１は、ｎ２を含むサブフレームの第２のバンドルの前である、サブフレームの第１のバンドルにおけるサブフレームであり、Ｎは、ｎ２＞ｎ＿ＰＨＩＣＨ＋４となるような最小の整数であり、ｎ＿ＰＨＩＣＨは、物理ハイブリッド自動反復要求インジケータ・チャンネル（ＰＨＩＣＨ）がダウンリンクで前記ＵＥへ送られるサブフレームである、請求項１に記載の方法。
【請求項５】
前記第１のｅノードＢと前記第２のｅノードＢそれぞれは、保護サブフレーム、非保護サブフレーム、および共通サブフレームで送信を受信し、
前記要求を送信することは、前記第２のｅノードＢの共通サブフレームにおいて、少なくとも１つのリソース・ブロックを使用することと、前記第２のｅノードＢの保護サブフレームにおいて、少なくとも１つのリソース・ブロックを使用することと、のうちの少なくとも１つのためにネゴシエートすることを備える、請求項１に記載の方法。
【請求項６】
ロング・ターム・イボリューション（ＬＴＥ）ネットワークにおける無線通信のための方法であって、
ユーザ機器（ＵＥ）を、第２のイボルブド・ノードＢ（ｅノードＢ）からの干渉を受けながら、第１のｅノードＢに関連付けることと、
前記第２のｅノードＢによって放棄された複数の不連続なサブフレームのバンドルにおけるアップリンク送信のために前記ＵＥを設定するために、前記第１のイボルブド・ノードＢ（ｅノードＢ）からの要求に応じて第２のｅノードＢが放棄する、前記複数の不連続なサブフレームのバンドルの位置のシグナリングを、前記第１のｅノードＢから受信することと、ここで、前記複数の不連続なサブフレームのバンドルは前記複数の不連続なサブフレームのバンドルのおのおののサブフレーム内に１または複数のリソース・ブロックを備える、を備える方法。
【請求項７】
バンドルされたアップリンク送信の開始前に、前記複数の不連続なサブフレームのバンドルの制御シグナリングを、保護サブフレームで受信することをさらに備える、請求項６に記載の方法。
【請求項８】
前記制御シグナリングは、前記バンドルされたアップリンク送信の開始の４ミリ秒（ｍｓ）前に受信される、請求項７に記載の方法。
【請求項９】
前記バンドルされたアップリンク送信の終了の４ミリ秒後に、ハイブリッド自動再送信要求（ＨＡＲＱ）フィードバックを受信すること、をさらに備える請求項６に記載の方法。
【請求項１０】
ロング・ターム・イボリューション（ＬＴＥ）ネットワークにおける無線通信のための装置であって、
前記ＬＴＥネットワークの第１のイボルブド・ノードＢ（ｅノードＢ）から前記ＬＴＥネットワークの第２のｅノードＢへ、前記第２のｅノードＢが複数の不連続なサブフレームのバンドルを放棄することを求める要求を送信する手段と、ここで、前記複数の不連続なサブフレームのバンドルは前記複数の不連続なサブフレームのバンドルのおのおののサブフレーム内に１または複数のリソース・ブロックを備える、
前記第１のｅノードＢに関連付けられ、前記第２のｅノードＢからの干渉を受けているユーザ機器（ＵＥ）を、前記第２のｅノードＢによって放棄された前記複数の不連続なサブフレームのバンドルの位置を前記ＵＥへシグナルすることによって、前記第２のｅノードＢによって放棄された前記複数の不連続なサブフレームのバンドルにおけるアップリンク送信のために設定する手段と、を備える装置。
【請求項１１】
ロング・ターム・イボリューション（ＬＴＥ）ネットワークにおける無線通信のための装置であって、
ユーザ機器（ＵＥ）を、第２のイボルブド・ノードＢ（ｅノードＢ）からの干渉を受けながら、第１のｅノードＢに関連付ける手段と、
前記第２のｅノードＢによって放棄された複数の不連続なサブフレームのバンドルにおけるアップリンク送信のために前記ＵＥを設定するために、前記第１のイボルブド・ノードＢ（ｅノードＢ）からの要求に応じて第２のｅノードＢが放棄する、前記複数の不連続なサブフレームのバンドルの位置のシグナリングを、前記第１のｅノードＢから受信する手段と、ここで、前記複数の不連続なサブフレームのバンドルは前記複数の不連続なサブフレームのバンドルのおのおののサブフレーム内に１または複数のリソース・ブロックを備える、を備える装置。
【請求項１２】
ロング・ターム・イボリューション（ＬＴＥ）ネットワークにおける無線通信のための装置であって、
メモリと、
前記メモリに接続され、
前記ＬＴＥネットワークの第１のイボルブド・ノードＢ（ｅノードＢ）から前記ＬＴＥネットワークの第２のｅノードＢへ、前記第２のｅノードＢが複数の不連続なサブフレームのバンドルを放棄することを求める要求を送信し、ここで、前記複数の不連続なサブフレームのバンドルは前記複数の不連続なサブフレームのバンドルのおのおののサブフレーム内に１または複数のリソース・ブロックを備える、
前記第１のｅノードＢに関連付けられ、前記第２のｅノードＢからの干渉を受けているユーザ機器（ＵＥ）を、前記第２のｅノードＢによって放棄された前記複数の不連続なサブフレームのバンドルの位置を前記ＵＥへシグナルすることによって、前記第２のｅノードＢによって放棄された前記複数の不連続なサブフレームのバンドルにおけるアップリンク送信のために設定する、ように構成された少なくとも１つのプロセッサと、を備える装置。
【請求項１３】
前記プロセッサはさらに、前記複数の不連続なサブフレームのバンドルのおのおののサブフレーム内の、前記リソース・ブロックの一部を、前記第２のｅノードＢへ示すように構成された、請求項１２に記載の装置。
【請求項１４】
前記プロセッサは、前記複数の不連続なサブフレームのバンドルのおのおののバンドルのサイズおよびサブフレーム・オフセットを示すインジケーションを用いて、前記ＵＥを設定する、請求項１２に記載の装置。
【請求項１５】
前記ＵＥを設定することは、前記ＵＥからの再送信が、サブフレームｎ２＝ｎ１＋８＊Ｎにおいて始まることを提供し、ここで、ｎ１は、ｎ２を含むサブフレームの第２のバンドルの前である、サブフレームの第１のバンドルにおけるサブフレームであり、Ｎは、ｎ２＞ｎ＿ＰＨＩＣＨ＋４となるような最小の整数であり、ｎ＿ＰＨＩＣＨは、物理ハイブリッド自動反復要求インジケータ・チャンネル（ＰＨＩＣＨ）がダウンリンクで前記ＵＥへ送られるサブフレームである、請求項１２に記載の装置。
【請求項１６】
前記第１のｅノードＢと前記第２のｅノードＢそれぞれは、保護サブフレーム、非保護サブフレーム、および共通サブフレームで送信を受信し、
前記プロセッサは、前記第２のｅノードＢの共通サブフレームにおいて、少なくとも１つのリソース・ブロックを使用することと、前記第２のｅノードＢの保護サブフレームにおいて、少なくとも１つのリソース・ブロックを使用することと、のうちの少なくとも１つをネゴシエートすることによって、前記要求を送信するように構成された、請求項１２に記載の装置。
【請求項１７】
ロング・ターム・イボリューション（ＬＴＥ）ネットワークにおける無線通信のための装置であって、
メモリと、
前記メモリに接続され、
ユーザ機器（ＵＥ）を、第２のイボルブド・ノードＢ（ｅノードＢ）からの干渉を受けながら、第１のｅノードＢに関連付け、
前記第２のｅノードＢによって放棄された複数の不連続なサブフレームのバンドルにおけるアップリンク送信のために前記ＵＥを設定するために、前記第１のイボルブド・ノードＢ（ｅノードＢ）からの要求に応じて第２のｅノードＢが放棄する、前記複数の不連続なサブフレームのバンドルの位置のシグナリングを、前記第１のｅノードＢから受信する、ここで、前記複数の不連続なサブフレームのバンドルは前記複数の不連続なサブフレームのバンドルのおのおののサブフレーム内に１または複数のリソース・ブロックを備える、ように構成された少なくとも１つのプロセッサと、を備える装置。
【請求項１８】
前記プロセッサはさらに、バンドルされたアップリンク送信の開始前に、前記複数の不連続なサブフレームのバンドルの制御シグナリングを、保護サブフレームで受信するように構成された、請求項１７に記載の装置。
【請求項１９】
前記制御シグナリングは、前記バンドルされたアップリンク送信の開始の４ミリ秒（ｍｓ）前に、受信される、請求項１８に記載の装置。
【請求項２０】
前記プロセッサはさらに、前記バンドルされたアップリンク送信の終了の４ミリ秒後に、ハイブリッド自動再送信要求（ＨＡＲＱ）フィードバックを受信するように構成された、請求項１７に記載の装置。
【請求項２１】
無線ネットワークにおける無線通信のためのコンピュータ読取可能な記録媒体であって、前記コンピュータ読取可能な記録媒体は、プログラム・コードを記録しており、前記プログラム・コードは、
前記ＬＴＥネットワークの第１のイボルブド・ノードＢ（ｅノードＢ）から前記ＬＴＥネットワークの第２のｅノードＢへ、前記第２のｅノードＢが複数の不連続なサブフレームのバンドルを放棄することを求める要求を送信するためのプログラム・コードと、ここで、前記複数の不連続なサブフレームのバンドルは前記複数の不連続なサブフレームのバンドルのおのおののサブフレーム内に１または複数のリソース・ブロックを備える、
前記第１のｅノードＢに関連付けられ、前記第２のｅノードＢからの干渉を受けているユーザ機器（ＵＥ）を、前記第２のｅノードＢによって放棄された前記複数の不連続なサブフレームのバンドルのＵＥの位置へのシグナリングによって、前記第２のｅノードＢによって放棄された前記複数の不連続なサブフレームのバンドルにおけるアップリンク送信のために設定するためのプログラム・コードとを備える、コンピュータ読取可能な記録媒体。
【請求項２２】
無線ネットワークにおける無線通信のためのコンピュータ読取可能な記録媒体であって、前記コンピュータ読取可能な記録媒体は、プログラム・コードを記録しており、前記プログラム・コードは、
ユーザ機器（ＵＥ）を、第２のイボルブド・ノードＢ（ｅノードＢ）からの干渉を受けながら、第１のｅノードＢに関連付けるためのプログラム・コードと、
前記第２のｅノードＢによって放棄された複数の不連続なサブフレームのバンドルにおけるアップリンク送信のために前記ＵＥを設定するために、前記第１のイボルブド・ノードＢ（ｅノードＢ）からの要求に応じて第２のｅノードＢが放棄する、前記複数の不連続なサブフレームのバンドルの位置のシグナリングを前記第１のｅノードＢから受信するためのプログラム・コードと、ここで、前記複数の不連続なサブフレームのバンドルは前記複数の不連続なサブフレームのバンドルのおのおののサブフレーム内に１または複数のリソース・ブロックを備える、を備える、コンピュータ読取可能な記録媒体。
【発明の詳細な説明】
【関連出願に対する相互参照】
【０００１】
本願は、２０１０年４月２０日に出願された、干渉シナリオにおけるアップリンク有効通信範囲の強化のためのシステムおよび方法（SYSTEMS AND METHODS FOR ENHANCING UPLINK COVERAGE IN INTERFERENCE SCENARIOS）と題された米国仮特許出願６１／３２６，０５８号の利益を主張する。この開示は、全体が参照によって本明細書に明確に組み込まれている。
【技術分野】
【０００２】
本開示のある態様は、一般に、無線通信システムに関し、さらに詳しくは、干渉シナリオにおけるアップリンク有効通信範囲を強化するためのシステムおよび方法に関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉に遭遇しうる。アップリンクでは、ＵＥからの送信が、近隣の基地局と通信する別のＵＥのアップリンク送信からの、または、別の無線ＲＦ送信機からの干渉に遭遇しうる。この干渉は、ダウンリンクとアップリンクとの両方のパフォーマンスを低下させうる。
【０００６】
モバイル・ブロードバンド・アクセスに対する需要が増加し続けると、ＵＥが長距離無線通信ネットワークにアクセスすることや、短距離無線システムがコミュニティにおいて展開されることとともに、干渉および混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００７】
本開示のいくつかの態様によれば、ロング・ターム・イボリューション（ＬＴＥ）ネットワークにおける無線通信のための方法は、ＬＴＥネットワークの第１のイボルブド・ノードＢ（ｅノードＢ）からＬＴＥネットワークの第２のｅノードＢへ、第２のｅノードＢが不連続なサブフレームのバンドルを放棄することを求める要求を送信することを含む。この方法はまた、第１のｅノードＢに関連付けられ、第２のｅノードＢからの干渉を受けているユーザ機器（ＵＥ）を、不連続なサブフレームのバンドルにおけるアップリンク送信のために設定することをも含みうる。
【０００８】
本開示のいくつかの態様によれば、ロング・ターム・イボリューション（ＬＴＥ）ネットワークにおける無線通信のための方法は、ユーザ機器（ＵＥ）を、第２のイボルブド・ノードＢ（ｅノードＢ）からの干渉を受けながら、第１のｅノードＢに関連付けることを含む。この方法はまた、不連続なサブフレームのバンドルにおけるアップリンク送信のためにＵＥを設定するシグナリングを受信することをも含みうる。
【０００９】
本開示のいくつかの態様によれば、ロング・ターム・イボリューション（ＬＴＥ）ネットワークにおける無線通信のための装置は、ＬＴＥネットワークの第１のイボルブド・ノードＢ（ｅノードＢ）からＬＴＥネットワークの第２のｅノードＢへ、第２のｅノードＢが不連続なサブフレームのバンドルを放棄することを求める要求を送信する手段を含む。この装置はまた、第１のｅノードＢに関連付けられ、第２のｅノードＢからの干渉を受けているユーザ機器（ＵＥ）を、不連続なサブフレームのバンドルにおけるアップリンク送信のために設定する手段をも含みうる。
【００１０】
本開示のいくつかの態様によれば、ロング・ターム・イボリューション（ＬＴＥ）ネットワークにおける無線通信のための装置は、ユーザ機器（ＵＥ）を、第２のイボルブド・ノードＢ（ｅノードＢ）からの干渉を受けながら、第１のｅノードＢに関連付ける手段を含む。この装置はまた、不連続なサブフレームのバンドルにおけるアップリンク送信のためにＵＥを設定するシグナリングを受信する手段をも含みうる。
【００１１】
本開示のいくつかの態様によれば、ロング・ターム・イボリューション（ＬＴＥ）ネットワークにおける無線通信のための装置は、メモリと、このメモリに接続された少なくとも１つのプロセッサとを含む。ここで、少なくとも１つのプロセッサは、ＬＴＥネットワークの第１のイボルブド・ノードＢ（ｅノードＢ）からＬＴＥネットワークの第２のｅノードＢへ、第２のｅノードＢが不連続なサブフレームのバンドルを放棄することを求める要求を送信するように構成される。少なくとも１つのプロセッサはさらに、第１のｅノードＢに関連付けられ、第２のｅノードＢからの干渉を受けているユーザ機器（ＵＥ）を、不連続なサブフレームのバンドルにおけるアップリンク送信のために設定するように構成される。
【００１２】
本開示のいくつかの態様によれば、ロング・ターム・イボリューション（ＬＴＥ）ネットワークにおける無線通信のための装置は、メモリと、このメモリに接続された少なくとも１つのプロセッサとを含む。少なくとも１つのプロセッサは、ユーザ機器（ＵＥ）を、第２のイボルブド・ノードＢ（ｅノードＢ）からの干渉を受けながら、第１のｅノードＢに関連付けるように構成される。少なくとも１つのプロセッサはさらに、不連続なサブフレームのバンドルにおけるアップリンク送信のためにＵＥを設定するシグナリングを受信するように構成される。
【００１３】
本開示のいくつかの態様によれば、ロング・ターム・イボリューション（ＬＴＥ）ネットワークにおける無線通信のためのコンピュータ・プログラム製品は、記録されたプログラム・コードを有するコンピュータ読取可能な媒体を含む。このプログラム・コードは、ＬＴＥネットワークの第１のイボルブド・ノードＢ（ｅノードＢ）からＬＴＥネットワークの第２のｅノードＢへ、第２のｅノードＢが不連続なサブフレームのバンドルを放棄することを求める要求を送信するためのプログラム・コードを含む。このプログラム・コードはまた、第１のｅノードＢに関連付けられ、第２のｅノードＢからの干渉を受けているユーザ機器（ＵＥ）を、不連続なサブフレームのバンドルにおけるアップリンク送信のために設定するためのプログラム・コードをも含む。
【００１４】
本開示のいくつかの態様によれば、ロング・ターム・イボリューション（ＬＴＥ）ネットワークにおける無線通信のためのコンピュータ・プログラム製品は、記録されたプログラム・コードを有するコンピュータ読取可能な媒体を含む。このプログラム・コードは、ユーザ機器（ＵＥ）を、第２のイボルブド・ノードＢ（ｅノードＢ）からの干渉を受けながら、第１のｅノードＢに関連付けるためのプログラム・コードを含む。このプログラム・コードはまた、不連続なサブフレームのバンドルにおけるアップリンク送信のためにＵＥを設定するシグナリングを受信するためのプログラム・コードをも含む。
【００１５】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１６】
本開示の特徴、特性、および利点は、同一の参照符号が全体を通じて同一物に特定している図面とともに考慮された場合、以下に記載する詳細な記載からより明らかになるだろう。
【図１】図１は、テレコミュニケーション・システムの例を概念的に例示するブロック図である。
【図２】図２は、テレコミュニケーション・システムにおけるダウンリンク・フレーム構造の例を概念的に例示する図である。
【図３】図３は、アップリンク通信における典型的なフレーム構造の例を概念的に例示するブロック図である。
【図４】図４は、本開示の１つの態様にしたがって構成された基地局／ｅノードＢとＵＥとの設計を概念的に例示するブロック図である。
【図５】図５は、本開示の１つの態様にしたがうヘテロジニアスなネットワークにおける適応リソース区分を概念的に例示するブロック図である。
【図６】図６は、本開示の１つの態様にしたがうサブフレームのタイムラインの例を示す例示である。
【図７】図７は、本開示の１つの態様にしたがう、典型的なオプションのフロー図を示す。
【図８】図８は、本開示の１つの態様にしたがう、典型的なオプションの別のフロー図を示す。
【図９】図９は、本開示の１つの態様にしたがう、典型的な装置を示す。
【図１０】図１０は、本開示の１つの態様にしたがう、別の典型的な装置を示す。
【発明を実施するための形態】
【００１７】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１８】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「ネットワーク」および「システム」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確化のために、これら技術のある態様は、以下において、ＬＴＥに関して記載されており、ＬＴＥ用語が以下の説明の多くで使用される。
【００１９】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ）、およびＣＤＭＡのその他の変形を含んでいる。ＣＤＭＡ２０００（登録商標）技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる組織からの文書に記載されている。ＣＤＭＡ２０００（登録商標）およびＵＭＢは、「第３世代パートナシップ計画２」（３ＧＰＰ２）と呼ばれる組織からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりにこれらはともに“ＬＴＥ／−Ａ”として称される）について記載されており、このようなＬＴＥ−Ａ用語が以下の説明の多くで使用される。
【００２０】
図１は、ＬＴＥ−Ａネットワークでありうる無線通信ネットワーク１００を示す。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。おのおののｅノードＢ１１０は、特定の地理的エリアのために通信有効範囲を提供する。３ＧＰＰでは、用語「セル」は、この用語が使用される文脈に依存して、この有効通信範囲エリアにサービス提供しているｅノードＢおよび／またはｅノードＢサブシステムからなるこの特定の地理的有効通信範囲エリアを称しうる。
【００２１】
ｅノードＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、フェムト・セルとの関連を持つＵＥ（例えば、クローズド加入者グループ（ＣＳＧ）におけるＵＥ）、住宅内のユーザのためのＵＥ等による無制限のアクセスを提供しうる。マクロ・セルのためのｅノードＢは、マクロｅノードＢと称されうる。ピコ・セルのためのｅノードＢは、ピコｅノードＢと称されうる。さらに、フェムト・セルのためのｅノードＢは、フェムトｅノードＢまたはホームｅノードＢと称されうる。図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。さらに、ｅノードＢ１１０ｙ，１１０ｚは、それぞれフェムト・セル１０２ｙ，１０２ｚのためのフェムトｅノードＢである。ｅノードＢは、１または複数（例えば２，３，４個等）のセルをサポートしうる。
【００２２】
無線ネットワーク１００はさらに、中継局をも含みうる。中継局は、データおよび／またはその他の情報の送信を上流局（例えば、ｅノードＢまたはＵＥ）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００２３】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００２４】
無線ネットワーク１００は、同期動作をサポートしうる。同期動作の場合、ｅノードＢは、類似のフレーム・タイミングを有し、異なるｅノードＢからの送信は、時間的にほぼ揃えられうる。
【００２５】
１つの態様では、無線ネットワーク１００は、周波数分割多重（ＦＤＤ）動作モードまたは時分割多重（ＴＤＤ）動作モードをサポートしうる。本明細書に記載された技術は、ＦＤＤ動作モードまたはＴＤＤ動作モードの何れかのために使用されうる。
【００２６】
ネットワーク・コントローラ１３０は、ｅノードＢ１１０のセットに接続しており、これらｅノードＢ１１０のための調整および制御を提供しうる。ネットワーク・コントローラ１３０は、バックホールを介してｅノードＢ１１０と通信しうる。ｅノードＢ１１０はまた、例えば、ダイレクトに、または、無線バックホールまたは有線バックホールを介して非ダイレクトに、互いに通信しうる。
【００２７】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット等でありうる。ＵＥは、マクロｅノードＢ、ピコｅノードＢ、フェムトｅノードＢ、リレー等と通信することができうる。図１では、２つの矢印を持つ実線が、ＵＥと、ダウンリンクおよび／またはアップリンクでＵＥにサービス提供するように指定されたｅノードＢであるサービス提供ｅノードＢとの間の所望の送信を示す。２つの矢印を持つ破線は、ＵＥとｅノードＢとの間の干渉送信を示す。
【００２８】
ＬＴＥは、ダウンリンクで周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに区分する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、サブキャリアの間隔は、１５ｋＨｚでありうる。そして、（「リソース・ブロック」と呼ばれる）最小リソース割当は、１２サブキャリア（または１８０ｋＨｚ）でありうる。その結果、ノミナルＦＦＴサイズは、１．２５，２．５，５，１０，または２０メガヘルツ（ＭＨｚ）の対応するシステム帯域幅についてそれぞれ１２８，２５６，５１２，１０２４，または２０４８に等しくなりうる。システム帯域幅はまた、サブ帯域へ区分されうる。例えば、サブ帯域は、１．０８ＭＨｚ（すなわち、６リソース・ブロック）をカバーし、１．２５，２．５，５，１０，１５，または２０ＭＨｚの対応するシステム帯域幅についてそれぞれ１，２，４，８，または１６のサブ帯域が存在しうる。
【００２９】
図２は、ＬＴＥにおいて使用されるダウンリンクＦＤＤ構造を示す。ダウンリンクの送信タイムラインは、ラジオ・フレームの単位に区分されうる。おのおののラジオ・フレームは、（例えば１０ミリ秒（ｍｓ）のような）予め定められた持続時間を有し、０乃至９のインデクスを付された１０個のサブフレームへ区分されうる。おのおののサブフレームは２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、例えば、７つのシンボル期間を含み、拡張されたサイクリック・プレフィクスの場合、６つのシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ区分されうる。おのおののリソース・ブロックは、１つのスロットにおいてＮ個のサブキャリア（例えば、１２のサブキャリア）をカバーしうる。
【００３０】
ＬＴＥでは、ｅノードＢは、ｅノードＢにおける各セルについて、一次同期信号（ＰＳＣまたはＰＳＳ）および二次同期信号（ＳＳＣまたはＳＳＳ）を送信しうる。ＦＤＤ動作モードの場合、図２に示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００３１】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、少ない数のシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動再送信要求（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００３２】
ｅノードＢは、ｅノードＢによって使用されるシステム帯域幅の中央の１．０８ＭＨｚでＰＳＣ、ＳＳＳ、およびＰＢＣＨを送信しうる。ｅノードＢは、これらのチャネルが送信される各シンボル期間におけるシステム帯域幅全体でＰＣＦＩＣＨおよびＰＨＩＣＨを送信しうる。ｅノードＢは、システム帯域幅のある部分で、ＵＥのグループにＰＤＣＣＨを送信しうる。ｅノードＢは、システム帯域幅の特定の部分で、ＵＥのグループにＰＤＳＣＨを送信しうる。ｅノードＢは、すべてのＵＥへブロードキャスト方式でＰＳＣ、ＳＳＣ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００３３】
各シンボル期間において、多くのリソース要素が利用可能でありうる。おのおののリソース要素は、１つのシンボル期間において１つのサブキャリアをカバーし、実数値または複素数値である１つの変調シンボルを送信するために使用されうる。制御チャネルのために使用されるシンボルについて、各シンボル期間において、基準信号のために使用されないリソース要素が、リソース要素グループ（ＲＥＧ）へ構成されうる。おのおののＲＥＧは、１つのシンボル期間内に、４つのリソース要素を含みうる。ＰＣＦＩＣＨは、シンボル期間０において、４つのＲＥＧを占有しうる。これらは、周波数にわたってほぼ等間隔に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧのある組み合わせのみが、ＰＤＣＣＨのために許可されうる。
【００３４】
ＵＥは、ＰＨＩＣＨとＰＣＦＩＣＨとのために使用された特定のＲＥＧを認識しうる。ＵＥは、ＰＤＣＣＨを求めて、ＲＥＧの異なる組み合わせを探索しうる。探索する組み合わせの数は、一般に、ＰＤＣＣＨにおいてすべてのＵＥのために許可された組み合わせ数よりも少ない。ｅノードＢは、ＵＥが探索する組み合わせのうちの何れかのＵＥにＰＤＣＣＨを送信しうる。
【００３５】
ＵＥは、複数のｅノードＢの有効通信範囲内に存在しうる。これらのｅノードＢのうちの１つは、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００３６】
図３は、アップリンク・ロング・ターム・イボリューション（ＬＴＥ）通信における典型的なＦＤＤおよびＴＤＤ（特別ではないサブフレームのみの）サブフレーム構造を概念的に例示するブロック図である。アップリンクのために利用可能なリソース・ブロック（ＲＢ）は、データ・セクションおよび制御セクションに区分されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥに、データ・セクション内に、連続するサブキャリアのすべてが割り当てられるようになる。
【００３７】
ＵＥは、ｅノードＢへ制御情報を送信するために、制御セクション内にリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットに及び、図３に示すように、周波数を越えてホップしうる。１つの態様によれば、緩和された単一キャリア動作において、アップリンク・リソースで並列なチャネルが送信されうる。例えば、制御およびデータ・チャネル、並列制御チャネル、および並列データ・チャネルが、ＵＥによって送信されうる。
【００３８】
ＰＳＣ、ＳＳＣ、ＣＲＳ、ＰＢＣＨ、ＰＵＣＣＨ、ＰＵＳＣＨ、および、ＬＴＥ／−Ａで使用される他のこのような信号およびチャネルは、公的に利用可能な、「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００３９】
図４は、図１における基地局／ｅノードＢのうちの１つ、およびＵＥのうちの１つでありうる、基地局／ｅノードＢ１１０とＵＥ１２０との設計のブロック図を示す。基地局１１０は、図１におけるマクロｅノードＢ１１０ｃでありうる。そして、ＵＥ１２０は、ＵＥ１２０ｙでありうる。基地局１１０はさらに、その他いくつかのタイプの基地局でもありうる。基地局１１０は、アンテナ４３４ａ乃至４３４ｔを備え、ＵＥ１２０は、アンテナ４５２ａ乃至４５２ｒを備えうる。
【００４０】
基地局１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データ情報および制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、基準シンボル、制御シンボル、および／または、データ・シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔによってそれぞれ送信されうる。
【００４１】
ＵＥ１２０では、アンテナ４５２ａ乃至４５２ｒが、基地局１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００４２】
アップリンクでは、ＵＥ１２０において、送信プロセッサ４６４が、データ・ソース４６２から（例えばＰＵＳＣＨのための）データを、コントローラ／プロセッサ４８０から（例えばＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）変調器４５４ａ乃至４５４ｒによって処理され、基地局１１０へ送信されうる。基地局１１０では、ＵＥ１２０からのアップリンク信号が、アンテナ４３４によって受信され、復調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得されうる。プロセッサ４３８は、復号されたデータをデータ・シンク４３９に提供し、復号された制御情報をコントローラ／プロセッサ４４０へ提供しうる。基地局１１０は、例えばＸ２インタフェース４４１を介して、他の基地局へメッセージを送信しうる。
【００４３】
コントローラ／プロセッサ４４０，４８０は、基地局１１０およびＵＥ１２０それぞれにおける動作を指示しうる。基地局１１０におけるプロセッサ４４０および／またはその他のプロセッサおよびモジュールは、本明細書に記載された技術のためのさまざまな処理の実行または実行の指示を行いうる。ｅノードＢにおけるプロセッサ４４０および／またはその他のプロセッサおよびモジュールは、図１０に例示された機能ブロック、および／または、本明細書に記載された技術のためのその他の処理の実行または実行の指示を行いうる。メモリ４４２，４８２は、基地局１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００４４】
図５は、本開示の１つの態様にしたがうヘテロジニアスなネットワークにおけるＴＤＭ区分を例示するブロック図である。ブロックの第１行は、フェムトｅノードＢのためのサブフレーム割当を例示しており、ブロックの第２行は、マクロｅノードＢのためのサブフレーム割当を例示している。ｅノードＢのおのおのは、静的な保護サブフレームを有する。この間、他のｅノードＢは、静的な禁止サブフレームを有する。例えば、フェムトｅノードＢは、サブフレーム０における禁止サブフレーム（Ｎサブフレーム）に対応する、サブフレーム０における保護サブフレーム（Ｕサブフレーム）を有する。同様に、マクロトｅノードＢは、サブフレーム７における禁止サブフレーム（Ｎサブフレーム）に対応する、サブフレーム７における保護サブフレーム（Ｕサブフレーム）を有する。サブフレーム１−６は、保護サブフレーム（ＡＵ）、禁止サブフレーム（ＡＮ）、および共通サブフレーム（ＡＣ）の何れかとして動的に割り当てられる。サブフレーム５，６において動的に割り当てられた共通サブフレーム（ＡＣ）では、フェムトｅノードＢとマクロｅノードＢとの両方が、データを送信しうる。
【００４５】
攻撃ｅノードＢは、送信することを禁止されているので、（例えばＵ／ＡＵサブフレームのような）保護サブフレームは、干渉が低減され、高いチャネル品質を有する。（例えば、Ｎ／ＡＮサブフレームのような）禁止サブフレームは、データ送信を有さないので、犠牲ｅノードＢは、低い干渉レベルでデータを送信できるようになる。（例えば、Ｃ／ＡＣサブフレームのような）共通サブフレームは、データを送信している近隣ｅノードＢの数に依存するチャネル品質を有する。例えば、近隣ｅノードＢが、共通サブフレームでデータを送信している場合、共通サブフレームのチャネル品質は、保護サブフレームよりも低くなりうる。共通サブフレームのチャネル品質はまた、攻撃ｅノードＢによって強く影響を受ける拡張境界エリア（ＥＢＡ）について低くなりうる。ＥＢＡ  ＵＥは、第１のｅノードＢに属するのみならず、第２のｅノードＢの有効通信範囲エリア内に配置されうる。例えば、フェムトｅノードＢ有効通信範囲の範囲限界近傍のマクロｅノードＢと通信するＵＥは、ＥＢＡ  ＵＥである。
【００４６】
ＬＴＥ／−Ａにおいて適用されうる別の干渉管理スキームの例は、緩慢な適応干渉管理である。干渉管理に対してこのアプローチを使用することによって、リソースは、ネゴシエートされ、スケジューリング間隔よりもはるかに大きな時間スケールにわたって割り当てられる。このスキームの目的は、時間リソースまたは周波数リソースのすべてにわたって、ネットワークの全体有用性を最大化する、送信元のｅノードＢとＵＥとのすべての送信電力の組み合わせを見つけることである。「有用性」は、ユーザ・データ・レート、サービス品質（ＱｏＳ）フローの遅れ、および公平メトリックに応じて定義されうる。このようなアルゴリズムは、最適化を解決するために使用されるすべての情報へのアクセスを有し、かつ、例えば、ネットワーク・コントローラ（図１）のようなすべての送信エンティティに対する制御を有する、中央エンティティによって計算されうる。この中央エンティティは、必ずしも現実的でも、また、望ましくもないかもしれない。したがって、代替態様では、ノードのあるセットからのチャネル情報に基づいて、リソース用途を決定する、分配されたアルゴリズムが使用されうる。したがって、緩慢な適応干渉アルゴリズムは、中央エンティティを用いて配置されるか、あるいは、ネットワーク内のノード／エンティティのさまざまなセットにわたってアルゴリズムを分配することによって配置されうる。
【００４７】
例えば無線ネットワーク１００のようなヘテロジニアスなネットワークの配置では、ＵＥは、１または複数の干渉元のｅノードＢから高い干渉を観察しうる支配的な干渉シナリオで動作しうる。支配的な干渉シナリオは、制限された関連付けによって生じうる。例えば、図１では、ＵＥ１２０ｙが、フェムトｅノードＢ１１０ｙの近くにあり、ｅノードＢ１１０ｙに関し高い受信電力を有しうる。しかしながら、制約された関連性によって、ＵＥ１２０ｙは、フェムトｅノードＢ１１０ｙにアクセスすることができず、（図１に示すような）マクロｅノードＢ１１０ｃ、または、同様に低い受信電力を持つ（図１に示されていない）フェムトｅノードＢ１１０ｚに接続しうる。ＵＥ１２０ｙは、その後、ダウンリンクで、フェムトｅノードＢ１１０ｙからの高い干渉を観察し、アップリンクで、ｅノードＢ１１０ｙへ高い干渉を引き起こしうる。ｅノードＢ１１０ｃおよびフェムトｅノードＢ１１０ｙは、調整された干渉管理を用いて、リソースをネゴシエートするために、バックホールを介して通信しうる。このネゴシエーションでは、フェムトｅノードＢ１１０ｙは、チャネル・リソースのうちの１つでの送信を停止することに合意する。これによって、ＵＥ１２０ｙは、同じチャネルを介してｅノードＢ１１０ｃと通信する場合ほど、フェムト１１０ｙからの干渉を受けなくなるであろう。
【００４８】
このような支配的な干渉シナリオでは、同期システムにおいてでさえも、ＵＥと複数のｅノードＢとの間の距離が異なることにより、ＵＥで観察された信号電力の不一致に加えて、ダウンリンク信号のタイミング遅れもＵＥによって観察されうる。同期システムにおけるｅノードＢは、システムを超えた推定に基づいて同期される。しかしながら、例えば、マクロｅノードＢから５ｋｍの距離にあるＵＥを考慮すると、マクロｅノードＢから受信されたダウンリンク信号の伝搬遅れは、約１６．６７マイクロ秒（５ｋｍ÷３×１０８、すなわち、光速’ｃ’）の遅れとなるであろう。マクロｅノードＢからのダウンリンク信号を、より近いフェムトｅノードＢからのダウンリンク信号と比較すると、タイミング差は、時間トラッキング・ループ（ＴＬＬ）誤差のレベルに近づきうる。
【００４９】
さらに、このタイミング差は、ＵＥにおける干渉除去に悪影響を与えうる。干渉除去はしばしば、同じ信号の複数のバージョンの結合間の相互相関特性を用いる。同じ信号の複数のコピーを結合することによって、干渉は、より簡単に識別されうる。なぜなら、信号のおのおののコピーにおける干渉が存在するであろう間、干渉は、同じ場所にあることはないだろうからである。結合された信号の相互相関を用いて、実際の信号部分が判定され、干渉と区別されうる。これによって、干渉が除去されるようになる。
【００５０】
（干渉シナリオにおけるアップリンク有効通信範囲の強化）  
ＵＥ１２０ｙは、接続モードで動作している場合、ＵＥ１２０ｙが例えばｅノードＢ１１０ｃと、許容できる接続を維持することがもはやできないという支配的な干渉シナリオにおいて、十分な干渉を受けうる。ＵＥ１２０ｙによる干渉の分析は、例えば、ｅノードＢ１１０ｃからダウンリンクで受信したＰＤＣＣＨの誤り率を計算することによって、信号品質を取得することを含む。あるいは、ＰＤＣＣＨの誤り率が、ＰＤＣＣＨの信号対雑音比（ＳＮＲ）に基づいて予測されうる。ＵＥ１２０ｙによって計算されるように、ＰＤＣＣＨの誤り率が、予め定義されたレベルに達した場合、ＵＥ１２０ｙは、ｅノードＢ１１０ｃに対してラジオ・リンク失敗（ＲＬＦ）を宣言し、接続を終了させるであろう。この時点において、ＵＥ１２０ｙは、ｅノードＢ１１０ｃに再接続することを試みうるか、恐らくは、より強い信号を持つ別のｅノードＢへ接続することを試みうる。
【００５１】
支配的な干渉シナリオはまた、範囲拡張によっても生じうる。これは、経路喪失が低く、かつ、ＵＥによって検出されたすべてのｅノードＢの中でも恐らくはＳＮＲが低いｅノードＢにＵＥが接続するシナリオである。例えば、図１では、ＵＥ１２０ｘは、マクロｅノードＢ１１０ｂとピコｅノードＢ１１０ｘとを検出し、そして、ｅノードＢ１１０ｘについて、ｅノードＢ１１０ｂよりも低い受信電力を有する。それでもやはり、ｅノードＢ１１０ｘの経路喪失が、マクロｅノードＢ１１０ｂの経路喪失よりも低いのであれば、ＵＥ１２０ｘがピコｅノードＢ１１０ｘに接続することが望ましい。この結果、ＵＥ１２０ｘにとって、所与のデータ・レートの場合、無線ネットワークへの干渉が低くなりうる。
【００５２】
ＵＥが、より強いダウンリンク信号強度を持つマクロ基地局の存在下において、より低い電力の基地局（すなわち、ピコ基地局またはフェムト基地局）からサービスを取得するため、または、ＵＥが、接続を許可されていないフェムト基地局からの強い干渉信号の存在下において、マクロ基地局からサービスを取得するために、例えば無線ネットワーク１００のような無線ネットワークにおいて可能とされた範囲拡張とともに、強化されたセル間干渉調整（ｅＩＣＩＣ）が、ＵＥとサービス提供基地局との間の制御およびデータ送信をイネーブルするためにいくつかのリソースを放棄する干渉元の基地局を調整するために使用される。ネットワークがｅＩＣＩＣをサポートする場合、基地局は、リソースの一部を放棄する干渉元のセルによる干渉を低減／除去するために、リソースを調整するように互いにネゴシエートする。これによって、ＵＥは、干渉元のセルによって放棄されたリソースを用いることによって、厳しい干渉であっても、サービス提供セルにアクセスしうる。
【００５３】
例えば、メンバであるフェムトＵＥのみがセルにアクセスできるクローズド・アクセス・モードのフェムト・セルが、マクロ・セルの有効通信範囲領域内に存在する場合、マクロ・セル内の有効通信範囲の無効化が生じる。このフェムト・セルに、リソースのいくつかを放棄させることによって、フェムト・セル有効通信範囲領域内のＵＥは、フェムト・セルからのリソースを用いることによって、サービス提供マクロ・セルにアクセスしうる。例えばＥ−ＵＴＲＡＮのように、ＯＦＤＭを用いたラジオ・アクセス・システムでは、これら放棄されたリソースは、時間ベースであるか、周波数ベースであるか、あるいは、これらの組み合わせでありうる。放棄されたリソースが時間ベースである場合、干渉元のセルは、アクセス可能なサブフレームのうちのいくつかを、時間領域において使用することを控える。これら放棄されたリソースが周波数ベースである場合、干渉元のセルは、周波数領域でアクセス可能なサブキャリアのうちのいくつかを使用しない。放棄されたリソースが、周波数と時間との両方の組み合わせである場合、干渉元のセルは、周波数および時間によって定義されるリソースを使用しない。
【００５４】
ｅＩＣＩＣをサポートするＵＥの場合、ＲＬＦ条件を分析するための既存の基準は、調整セルの条件に満足に対処できないことがありうる。リソースの一部を放棄する干渉元のセルによって、基地局間で干渉が調整される、厳しい干渉の領域にこのＵＥがある場合、ＳＮＲまたはＰＤＣＣＨの復号誤り率のＵＥ測定は、リソースが干渉元のセルによって放棄されたか否かに依存して、相当変動するだろう。干渉元のセルによって放棄されなかったリソースのＰＤＣＣＨの復号誤り率またはＳＮＲをＵＥが測定した場合、ＵＥは、干渉元のセルによって放棄されたリソースを用いて、サービス提供セルにアクセスしても、高い干渉によって、誤ってＲＬＦを宣言しうる。
【００５５】
ＵＥが近隣セルから干渉を受ける支配的な干渉シナリオでは、時間によるリソースの分割が、干渉を低減するのに役立ちうる。図５を参照して上述したように、特定のセル（例えば、図１の１０２ｃ）は、定期的なサブフレームにおいて自身をサイレントにするので、これによって、ユーザは、特定のセルからの干渉無しで、近隣セル（例えば、１０２ｙまたは１０２ｂ）から、サービス提供されるようになる。顕著な干渉を受けているユーザの観点から、このような時間分割多重（ＴＭＭ）区分技術は、２つのクラスのサブフレームを生成する。第１のクラスは、定期的にサイレントになるこれらサブフレームを含む。これらは、本明細書では、便宜上、「保護」サブフレームまたは「クリーン」サブフレームと称される。保護されておらず、もって、より多くの干渉を受けるサブフレームは、本明細書では、「非保護」サブフレームまたは「アンクリーン」サブフレームと称される。
【００５６】
１つのヘテロジニアスなネットワーク・シナリオでは、フェムト有効通信範囲の下のマクロＵＥは、顕著なダウンリンク（ＤＬ）干渉を受けうる。前述したように、リソースのＴＤＭ区分によって、近隣セルからの高い干渉下にあるＵＥは、サービス提供セルに対して良好なダウンリンク信号を維持できるようになる。しかしながら、仮にダウンリンク・チャネルが保護されている場合であっても、フェムト有効通信範囲内のマクロＵＥは、アップリンク（ＵＬ）で電力制限されうる。
【００５７】
１つの途絶シナリオは、大きなマクロ・サイト対サイト距離を含み、クローズド加入者グループ（ＣＧＳ）ユーザは、フェムトを加える。非ＣＳＧユーザは、保護サブフレームにおいて良好なダウンリンク有効通信範囲を有するが、制限された送信電力および高い干渉によって、ＵＥにおいて、非常に良好なアップリンク有効通信範囲を有する訳ではない。この例では、アップリンク送信電力スペクトル密度（ＰＳＤ）が、ｅノードＢの受信機における最小の信号対干渉及び雑音比（ＳＩＮＲ）仕様と、ＵＥの最大送信電力とによって制約を受けることが注目されるべきである。したがって、アップリンク送信帯域幅は、非常に小さくなりうる。これによって、ＵＥは、電力を制限されるという結果になり、保護サブフレームの一部しか使用しない。したがって、利用可能な保護サブフレームは、ＵＥのサービス品質（ＱｏＳ）要件をサポートするのには十分ではないことがありうる。さらに、定義によれば、保護サブフレーム内の未使用の物理リソース・ブロックは、何れのフェムト・セルによっても使用されないので、無駄が生じうる。
【００５８】
このような問題は、本開示の態様によって対処される。本明細書で開示されるある態様は、ＴＤＭ区分技術を、バンドリングの概念に適用することを提供する。ここでは、１つのｅノードＢが、別のｅノードＢによってサービス提供されているＵＥによる使用のために、サブフレームのバンドルを放棄する。このような態様は、第１のｅノードＢによってサービス提供されているＵＥが、第２のｅノードＢから顕著な干渉を受けるシナリオに確かに適用可能であるが、限定されない。さまざまな態様は、ＵＥによる使用のために、第２のｅノードＢが、サブフレームのバンドルを放棄するように、第２のｅノードＢとネゴシエートする第１のｅノードＢを含む。
【００５９】
いくつかの設計では、第１のｅノードＢは、マクロｅノードＢを含み、第２のｅノードＢは、フェムトｅノードＢを含んでいる。これら設計の範囲はこれらに限定されておらず、このような概念は、１または複数のＵＥと干渉しうる任意の複数のｅノードＢに適用されうる。以下の例は、マクロｅノードＢとフェムトｅノードＢを称するが、これら概念は一般的に適合することが理解される。
【００６０】
第１の例の態様では、マクロ・セルは、フェムト・セルに対して、マクロ・セルによってサービス提供されているＵＥによって使用されるために、複数のサブフレームを放棄するように要求する。ここで、ＵＥは、フェムト・セルから干渉を受けている。この例では、フェムト・セルは、おのおのが４つの連続したサブフレームを含むバンドルをサイレントにする。保護サブフレームを生成する文脈ではないが、ＬＴＥリリース８のＨＡＲＱタイムラインでは、４つの連続したサブフレームをバンドリングすることが提供される。この特定の例は、ＬＴＥによって既に提供されているバンドリング機能を導入し、このような機能を用いて、干渉を受けているＵＥによる使用のために保護サブフレームを生成する。
【００６１】
別の例では、これらバンドルのおのおのは、複数（この例では４つ）の不連続なサブフレームを含む。図６は、１つの態様にしたがう、ＵＥおよびｅノードＢのそれぞれのサブフレームの典型的なダウンリンク・タイムライン６１０およびアップリンク・タイムライン６２０の例示である。ＵＥタイムライン（アップリンク）６２０は、マクロｅノードＢによって、フェムトｅノードＢとネゴシエートされる。ここで、フェムトｅノードＢは、サブフレームのバンドル６０３，６０５を放棄することに合意する。このシナリオでは、バンドル６０３，６０５は、不連続なサブフレームである。ｅノードＢは、バンドルされたサブフレームの位置（例えば、バンドル・サイズおよびサブフレーム・オフセット）をＵＥへシグナルすることによって、ＵＥを設定する。このような設定は、アップリンク許可６０１またはその他の送信でなされうる。これら設計の範囲は、アップリンク許可の使用に制限されないが、この例では、アップリンク許可が使用される。実際、いくつかの設計は、限定される訳ではないが、上位レベル・シグナリング、ＵＥ事前設定、アップリンク許可等を含むバンドリング動作を容易にするための任意の適切なタイプの設定シグナリングを使用しうる。
【００６２】
図６の例は、ＨＡＲＱタイムラインに対するいくつかの変更を含む。なぜなら、ある例では、再送信は、その後のバンドルとともに送信されうるからである。図６に示すように、（例えば、送信６０７のような）ＰＨＩＣＨが、リリース８におけるように、最後のバンドル送信の４ミリ秒後に送信される。しかしながら、所与のバンドル再送信は、サブフレームｎ２＝ｎ１＋８＊Ｎにおいて始まる。ここで、ｎｌは、既にバンドルされた送信において、最初のバンドル送信が開始されるサブフレームである。Ｎは、ｎ２＞ｎ＿ＰＨＩＣＨ＋４になるような最小の整数であり、ここで、ｎ＿ＰＨＩＣＨは、ＰＨＩＣＨがダウンリンクで送信されるサブフレームである。
【００６３】
サブフレームのバンドルを受信するＵＥは、バンドル内のサブフレームのすべてが割り当てられるが、割り当てられたサブフレーム内の物理リソース・ブロック（ＰＲＢ）の一部のみしか使用しない。これは、リソース浪費に至る。バンドルにおけるサブフレームの浪費は、ＵＥに課せられた電力制約によって生じる。ここでは、ＵＥは、送信可能な電力と、維持すべきＳＩＮＲとによって制限される。
【００６４】
いくつかの態様は、ＵＥへリソースを割り当てるための技術を提供する。ここでは、保護リソースおよび非保護リソースの概念を、フェムト・セルの物理リソース・ブロック（ＰＲＢ）内の特定のサブ帯域に拡張することによって、浪費は少なくなる。一例では、フェムト・セルＵＥおよびマクロ・セルＵＥは、以下のベクトルにしたがうパターンで、アップリンクで通信する。フェムト  フェムト・セルの観点から、これは、ＡＵ／ＡＣサブフレームにおけるいくつかのＰＲＢを失うものの、パフォーマンス・ロスは比較的小さい。なぜなら、これらサブフレームにおけるその他のＰＲＢは、未だに、フェムト・セルによる使用のために利用可能であるからである。言い換えれば、いくつかの例では、フェムト・セルは、所与の数のサブフレームについて、すべてのＰＲＢよりも少ないアップリンク送信をネゴシエートおよび受信する。
【００６５】
新たな保護リソースは、前述した例にしたがって、連続サブフレームまたは不連続サブフレームの何れかでバンドルされる。１つの態様では、新たな保護リソースは、Ｕ／ＡＵサブフレームに接続された連続サブフレーム内にバンドルされる。すなわち、バンドルの最初のサブフレームは、Ｕ／ＡＵサブフレームである。１つの態様では、ＡＣＫ／ＰＤＣＣＨは、Ｕ／ＡＵサブフレームで送信される。
【００６６】
上記の例では、ＬＴＥリリース８によってすでに提供されているものに、新たなシグナリングが追加されうる。例えば、いくつかの態様は、ネゴシエートされ許可されたＰＲＢの位置のみならず、保護が適合するフェムト・サブフレームの数を識別するメッセージを、マクロ・セルとフェムト・セルとの間に含む。シグナリングは、上位レイヤにありうる。
【００６７】
図７は、第１のｅノードＢの典型的な処理７００を示す。ここで、第１のｅノードＢによってサービス提供されるユーザ機器（ＵＥ）は、第２のｅノードＢからの干渉を受ける。方法７００は、ブロック７０１で始まる。ブロック７０２では、ＬＴＥネットワークの第１のイボルブド・ノードＢ（ｅノードＢ）からＬＴＥネットワークの第２のｅノードＢへ、第２のｅノードＢが不連続なサブフレームのバンドルを放棄することを求める要求が送信される。ブロック７０３は、第１のｅノードＢに関連付けられ、第２のｅノードＢからの干渉を受けているユーザ機器（ＵＥ）を、不連続なサブフレームのバンドルにおけるアップリンク送信のために設定することを含みうる。処理７００はブロック７０４において終了する。
【００６８】
１つの設定では、ＬＴＥネットワークの第１のイボルブド・ノードＢ（ｅノードＢ）から、ＬＴＥネットワークの第２のｅノードＢへ要求を送信する手段を含むようにｅノード１１０が、無線通信のために構成される。１つの態様では、送信する手段は、送信する手段によって詳述された機能を実行するように構成されたコントローラ／プロセッサ４４０、メモリ４４２、送信プロセッサ４２０、変調器４３２ａ−ｔ、およびアンテナ４３４ａ−ｔでありうる。ｅノード１１０はまた、第１のｅノードＢに関連付けられ第２のｅノードＢからの干渉を受けているユーザ機器（ＵＥ）を設定する手段を含むようにも構成される。１つの態様では、設定する手段は、設定する手段によって詳述された機能を実行するように構成されたスケジューラ４４４、コントローラ／プロセッサ４４０、およびメモリ４４２でありうる。別の態様では、前述した手段は、前述した手段によって記述された機能を実行するように構成されたモジュールまたは任意の装置でありうる。
【００６９】
図８は、ユーザ機器（ＵＥ）の典型的な処理８００を示す。ここで、第１のｅノードＢによってサービス提供されるＵＥは、第２のｅノードＢからの干渉を受ける。方法８００は、ブロック８０１で始まる。ブロック８０２では、ＵＥは、第２のイボルブド・ノードＢ（ｅノードＢ）からの干渉を受けながら、第１のｅノードＢに関連付けられる。ブロック８０３は、不連続なサブフレームのバンドルにおけるアップリンク送信のためにＵＥを設定するシグナリングを受信することを含みうる。処理８００はブロック８０４で終了する。
【００７０】
１つの設定では、ユーザ機器（ＵＥ）を、第２のイボルブド・ノードＢ（ｅノードＢ）からの干渉を受けながら、第１のｅノードＢに関連付ける手段を含むＵＥ１２０が、無線通信のために構成される。１つの態様では、関連付ける手段は、関連付ける手段によって詳述された機能を実行するように構成されたコントローラ／プロセッサ４８０およびメモリ４８２でありうる。ＵＥ１２０はまた、アップリンク送信のためにＵＥを設定するシグナリングを受信する手段を含むようにも構成される。１つの態様では、受信する手段は、受信する手段によって詳述された機能を実行するように構成されたコントローラ／プロセッサ４８０、メモリ４８２、受信プロセッサ４５８、復調器４５４ａ−４５４ｒ、およびアンテナ４５２ａ−ｒでありうる。別の態様では、前述した手段は、前述した手段によって記述された機能を実行するように構成されたモジュールまたは任意の装置でありうる。
【００７１】
例えば、図９は、第１のｅノードＢのための装置９００の設計を示す。装置９００は、ＬＴＥネットワークの第１のイボルブド・ノードＢ（ｅノードＢ）からＬＴＥネットワークの第２のｅノードＢへ、第２のｅノードＢが不連続なサブフレームのバンドルを放棄することを求める要求を送信するためのモジュール９１０と、第１のｅノードＢに関連付けられ、第２のｅノードＢからの干渉を受けているユーザ機器（ＵＥ）を、不連続なサブフレームのバンドルにおけるアップリンク送信のために設定するためのモジュール９２０とを含む。図９におけるモジュールは、プロセッサ、電子デバイス、ハードウェア・デバイス、電子部品、論理回路、メモリ、ソフトウェア・コード、ファームウェア・コード等、またはこれらの任意の組み合わせを備えうる。
【００７２】
例えば、図１０は、ＵＥのための装置１０００の設計を示す。装置１０００は、ユーザ機器（ＵＥ）を、第２のイボルブド・ノードＢ（ｅノードＢ）からの干渉を受けながら、第１のｅノードＢに関連付けるためのモジュール１０１０と、不連続なサブフレームのバンドルにおけるアップリンク送信のためにＵＥを設定するシグナリングを受信するためのモジュール１０２０とを含む。
【００７３】
図１０におけるモジュールは、プロセッサ、電子デバイス、ハードウェア・デバイス、電子部品、論理回路、メモリ、ソフトウェア・コード、ファームウェア・コード等、またはこれらの任意の組み合わせを備えうる。
【００７４】
さまざまな態様は、従来のシステムに対する利点を含んでいる。前述したいくつかの態様は、ヘテロジニアスなネットワークが、バンドリングの概念を用いて干渉を低減するために、リソースを区分することに役立つ。さらに、保護／非保護リソースの概念を周波数領域に拡張することを記述する前述した例は、バンドリング技術に効率を加えうる。
【００７５】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７６】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７７】
本明細書の開示に関連して説明された方法またはアルゴリズムのステップは、ハードウェアでダイレクトに、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７８】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００７９】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に本願発明の当初の特許請求の範囲に記載された発明を付記する。
［Ｃ１］
ロング・ターム・イボリューション（ＬＴＥ）ネットワークにおける無線通信のための方法であって、
前記ＬＴＥネットワークの第１のイボルブド・ノードＢ（ｅノードＢ）から前記ＬＴＥネットワークの第２のｅノードＢへ、前記第２のｅノードＢが複数の不連続なサブフレームのバンドルを放棄することを求める要求を送信することと、
前記第１のｅノードＢに関連付けられ、前記第２のｅノードＢからの干渉を受けているユーザ機器（ＵＥ）を、前記複数の不連続なサブフレームのバンドルにおけるアップリンク送信のために設定することと、を備える方法。
［Ｃ２］
前記複数の不連続なサブフレームのバンドルは、前記バンドルのおのおののサブフレーム内に、リソース・ブロックの一部のみを備える、請求項１に記載の方法。
［Ｃ３］
前記バンドルのおのおののサブフレーム内の、前記リソース・ブロックの一部を、前記第２のｅノードＢへ示すこと、をさらに備える請求項２に記載の方法。
［Ｃ４］
前記設定することは、サブフレームのおのおののバンドルのサイズおよびサブフレーム・オフセットを示すインジケーションを、前記ＵＥへ送信することをさらに備える、請求項１に記載の方法。
［Ｃ５］
前記設定することは、前記ＵＥからの再送信が、サブフレームｎ２＝ｎｌ＋８＊Ｎにおいて始まることを提供し、ここで、ｎｌは、ｎ２を含むサブフレームの第２のバンドルの前である、サブフレームの第１のバンドルにおけるサブフレームであり、Ｎは、ｎ２＞ｎ＿ＰＨＩＣＨ＋４となるような最小の整数であり、ｎ＿ＰＨＩＣＨは、物理ハイブリッド自動反復要求インジケータ・チャンネル（ＰＨＩＣＨ）がダウンリンクで前記ＵＥへ送られるサブフレームである、請求項１に記載の方法。
［Ｃ６］
前記第１のｅノードＢと前記第２のｅノードＢそれぞれは、保護サブフレーム、非保護サブフレーム、および共通サブフレームで送信を受信し、
前記要求を送信することは、前記第２のｅノードＢの共通サブフレームにおいて、少なくとも１つのリソース・ブロックを使用することと、前記第２のｅノードＢの保護サブフレームにおいて、少なくとも１つのリソース・ブロックを使用することと、のうちの少なくとも１つのためにネゴシエートすることを備える、請求項１に記載の方法。
［Ｃ７］
ロング・ターム・イボリューション（ＬＴＥ）ネットワークにおける無線通信のための方法であって、
ユーザ機器（ＵＥ）を、第２のイボルブド・ノードＢ（ｅノードＢ）からの干渉を受けながら、第１のｅノードＢに関連付けることと、
複数の不連続なサブフレームのバンドルにおけるアップリンク送信のために前記ＵＥを設定するシグナリングを受信することと、を備える方法。
［Ｃ８］
前記複数の不連続なサブフレームのバンドルは、前記バンドルのおのおののサブフレーム内に、リソース・ブロックの一部のみを備える、請求項７に記載の方法。
［Ｃ９］
バンドルされたアップリンク送信の開始前に、前記複数の不連続なサブフレームのバンドルの制御シグナリングを、保護サブフレームで受信することをさらに備える、請求項７に記載の方法。
［Ｃ１０］
前記制御シグナリングは、前記バンドルされたアップリンク送信の開始前に、４ミリ秒
（ｍｓ）受信される、請求項９に記載の方法。
［Ｃ１１］
前記バンドルされたアップリンク送信の終了後に、ハイブリッド自動再送信要求（ＨＡＲＱ）フィードバックを４ミリ秒送信すること、をさらに備える請求項７に記載の方法。
［Ｃ１２］
前記シグナリングは、前記ＵＥを、前記複数のサブフレームのバンドルにおけるリソース・ブロックの一部のみにおけるアップリンク送信のために設定する、請求項７に記載の方法。
［Ｃ１３］
ロング・ターム・イボリューション（ＬＴＥ）ネットワークにおける無線通信のための装置であって、
前記ＬＴＥネットワークの第１のイボルブド・ノードＢ（ｅノードＢ）から前記ＬＴＥネットワークの第２のｅノードＢへ、前記第２のｅノードＢが複数の不連続なサブフレームのバンドルを放棄することを求める要求を送信する手段と、
前記第１のｅノードＢに関連付けられ、前記第２のｅノードＢからの干渉を受けているユーザ機器（ＵＥ）を、前記複数の不連続なサブフレームのバンドルにおけるアップリンク送信のために設定する手段と、を備える装置。
［Ｃ１４］
ロング・ターム・イボリューション（ＬＴＥ）ネットワークにおける無線通信のための装置であって、
ユーザ機器（ＵＥ）を、第２のイボルブド・ノードＢ（ｅノードＢ）からの干渉を受けながら、第１のｅノードＢに関連付ける手段と、
複数の不連続なサブフレームのバンドルにおけるアップリンク送信のために前記ＵＥを設定するシグナリングを受信する手段と、を備える装置。
［Ｃ１５］
ロング・ターム・イボリューション（ＬＴＥ）ネットワークにおける無線通信のための装置であって、
メモリと、
前記メモリに接続され、
前記ＬＴＥネットワークの第１のイボルブド・ノードＢ（ｅノードＢ）から前記ＬＴＥネットワークの第２のｅノードＢへ、前記第２のｅノードＢが複数の不連続なサブフレームのバンドルを放棄することを求める要求を送信し、
前記第１のｅノードＢに関連付けられ、前記第２のｅノードＢからの干渉を受けているユーザ機器（ＵＥ）を、前記複数の不連続なサブフレームのバンドルにおけるアップリンク送信のために設定する、ように構成された少なくとも１つのプロセッサと、を備える装置。
［Ｃ１６］
前記複数の不連続なサブフレームのバンドルは、前記バンドルのおのおののサブフレーム内に、リソース・ブロックの一部のみを備える、請求項１５に記載の装置。
［Ｃ１７］
前記プロセッサはさらに、前記バンドルのおのおののサブフレーム内の、前記リソース・ブロックの一部を、前記第２のｅノードＢへ示すように構成された、請求項１６に記載の装置。
［Ｃ１８］
前記プロセッサは、サブフレームのおのおののバンドルのサイズおよびサブフレーム・オフセットを示すインジケーションを用いて、前記ＵＥを設定する、請求項１５に記載の装置。
［Ｃ１９］
前記ＵＥを設定することは、前記ＵＥからの再送信が、サブフレームｎ２＝ｎｌ＋８＊Ｎにおいて始まることを提供し、ここで、ｎｌは、ｎ２を含むサブフレームの第２のバンドルの前である、サブフレームの第１のバンドルにおけるサブフレームであり、Ｎは、ｎ２＞ｎ＿ＰＨＩＣＨ＋４となるような最小の整数であり、ｎ＿ＰＨＩＣＨは、物理ハイブリッド自動反復要求インジケータ・チャンネル（ＰＨＩＣＨ）がダウンリンクで前記ＵＥへ送られるサブフレームである、請求項１５に記載の装置。
［Ｃ２０］
前記第１のｅノードＢと前記第２のｅノードＢそれぞれは、保護サブフレーム、非保護サブフレーム、および共通サブフレームで送信を受信し、
前記プロセッサは、前記第２のｅノードＢの共通サブフレームにおいて、少なくとも１つのリソース・ブロックを使用することと、前記第２のｅノードＢの保護サブフレームにおいて、少なくとも１つのリソース・ブロックを使用することと、のうちの少なくとも１つをネゴシエートすることによって、前記要求を送信するように構成された、請求項１５に記載の装置。
［Ｃ２１］
ロング・ターム・イボリューション（ＬＴＥ）ネットワークにおける電力制御のための装置であって、
メモリと、
前記メモリに接続され、
ユーザ機器（ＵＥ）を、第２のイボルブド・ノードＢ（ｅノードＢ）からの干渉を受けながら、第１のｅノードＢに関連付け、
複数の不連続なサブフレームのバンドルにおけるアップリンク送信のために前記ＵＥを設定するシグナリングを受信する、ように構成された少なくとも１つのプロセッサと、を備える装置。
［Ｃ２２］
前記複数の不連続なサブフレームのバンドルは、前記バンドルのおのおののサブフレーム内に、リソース・ブロックの一部のみを備える、請求項２１に記載の装置。
［Ｃ２３］
前記プロセッサはさらに、バンドルされたアップリンク送信の開始前に、前記複数の不連続なサブフレームのバンドルの制御シグナリングを、保護サブフレームで受信するように構成された、請求項２１に記載の装置。
［Ｃ２４］
前記制御シグナリングは、前記バンドルされたアップリンク送信の開始前に、４ミリ秒
（ｍｓ）受信される、請求項２３に記載の装置。
［Ｃ２５］
前記プロセッサはさらに、前記バンドルされたアップリンク送信の終了後４ミリ秒、ハイブリッド自動再送信要求（ＨＡＲＱ）フィードバックを送信するように構成された、請求項２１に記載の装置。
［Ｃ２６］
前記シグナリングは、前記ＵＥを、前記複数のサブフレームのバンドルにおけるリソース・ブロックの一部のみにおけるアップリンク送信のために設定する、請求項２１に記載の装置。
［Ｃ２７］
無線ネットワークにおける無線通信のためのコンピュータ・プログラム製品であって、
記録された非一時的なプログラム・コードを有するコンピュータ読取可能な媒体を備え、前記プログラム・コードは、
前記ＬＴＥネットワークの第１のイボルブド・ノードＢ（ｅノードＢ）から前記ＬＴＥネットワークの第２のｅノードＢへ、前記第２のｅノードＢが複数の不連続なサブフレームのバンドルを放棄することを求める要求を送信するためのプログラム・コードと、
前記第１のｅノードＢに関連付けられ、前記第２のｅノードＢからの干渉を受けているユーザ機器（ＵＥ）を、前記複数の不連続なサブフレームのバンドルにおけるアップリンク送信のために設定するためのプログラム・コードとを備える、コンピュータ・プログラム製品。
［Ｃ２８］
無線ネットワークにおける無線通信のためのコンピュータ・プログラム製品であって、
記録された非一時的なプログラム・コードを有するコンピュータ読取可能な媒体を備え、前記プログラム・コードは、
ユーザ機器（ＵＥ）を、第２のイボルブド・ノードＢ（ｅノードＢ）からの干渉を受けながら、第１のｅノードＢに関連付けるためのプログラム・コードと、
複数の不連続なサブフレームのバンドルにおけるアップリンク送信のために前記ＵＥを設定するシグナリングを受信するためのプログラム・コードとを備える、コンピュータ・プログラム製品。
【図１】
0005563151.tif 000002
【図２】
0005563151.tif 000003
【図３】
0005563151.tif 000004
【図４】
0005563151.tif 000005
【図５】
0005563151.tif 000006
【図６】
0005563151.tif 000007
【図７】
0005563151.tif 000008
【図８】
0005563151.tif 000009
【図９】
0005563151.tif 000010
【図１０】
0005563151.tif 000011